(57)【特許請求の範囲】
【請求項１】
レセプタクルコネクタとプラグコネクタとの嵌合離脱を検出する嵌合検出機能を備える同軸コネクタにおいて、
前記レセプタクルコネクタと前記プラグコネクタは、それぞれ中心コンタクトと、外部コンタクトと、前記中心コンタクト及び外部コンタクトを保持するインシュレータと、嵌合検出端子とを有し、
前記嵌合検出端子は、前記外部コンタクトの周囲を被覆するように配設され、
かつ、前記レセプタクルコネクタ又は前記プラグコネクタの一方の前記外部コンタクトと前記嵌合検出端子とは電気的に接続され、他方の前記外部コンタクトと前記嵌合検出端子とは電気的に非接続に構成され、
更に、前記嵌合検出端子は、一対の突出部を有し、前記一対の突出部が基板を
挟持することにより、前記レセプタクルコネクタを前記基板に固定し、かつ、電気的に接続することを特徴とする嵌合検出端子付き同軸コネクタ。
【請求項２】
前記レセプタクルコネクタ又は前記プラグコネクタの一方の前記外部コンタクトと前記嵌合検出端子とは、一体形成されることを特徴とする請求項１記載の嵌合検出端子付き同軸コネクタ。
【発明の詳細な説明】
【０００１】
【発明の属する技術分野】
本発明は、レセプタクルコネクタとプラグコネクタとから構成される同軸コネクタに関し、更に詳しくいえば、レセプタクルコネクタとプラグコネクタとの嵌合離脱を検出するための嵌合検出端子付き同軸コネクタに関する。
【０００２】
【従来の技術】
従来のレセプタクルコネクタとプラグコネクタとの嵌合離脱を検出するための嵌合検出端子付き同軸コネクタの要点について、図４に示される模式的斜視図を参照して説明する。
【０００３】
まず、レセプタクルコネクタ３１から説明する。中心コンタクト３２は、円筒状のインシュレータ（図示せず）に保持され、インシュレータは、分断部３３Ａを設けられた略円筒状のシェル（外部コンタクト）３３により被覆される。分断部３３Ａ内には、嵌合検出端子３４が配設され、嵌合検出端子３４はインシュレータに保持される。中心コンタクト３２、シェル３３及び嵌合検出端子３４の各一端折曲部３２Ａ，３３Ｂ及び３４Ａは、それぞれプリント基板５１に接続される。
【０００４】
次に、プラグコネクタ４１を説明する。中心コンタクト４２は、円筒状のインシュレータ（図示せず）に保持され、インシュレータは、円筒状のシェル（外部コンタクト）４３により被覆される。中心コンタクト４２は、同軸ケーブル４４と接続する。
【０００５】
レセプタクルコネクタ３１とプラグコネクタ４１とが嵌合すると、中心コンタクト３２と中心コンタクト４２とが接続するので、プリント基板５１と同軸ケーブル４４とが接続する。また、シェル３３の他端折曲部３３Ｃと嵌合検出端子３４の他端折曲部３４Ｃは、それぞれシェル４３の内周面に圧接するので、プリント基板５１に設置されているリレー及び表示ランプ等（図示せず）の使用により、レセプタクルコネクタ３１とプラグコネクタ４１とが嵌合したことが、検出される。
【０００６】
なお、特開平９−２０４９５７号公報には、嵌合離脱検出コンタクトとプラグ側同軸外部コンタクトとが導通することにより、レセプタクルコネクタとプラグコネクタとの嵌合離脱を感知する同軸コンタクト構造が、記載されている。
【０００７】
【発明が解決しようとする課題】
前述した従来の嵌合検出端子付き同軸コネクタにおいては、中心コンタクト３２の外周に配設される略円筒状のシェル（外部コンタクト）３３に分断部３３Ａが設けられているため、インピーダンスマッチングを行うことが困難であり、また、高周波特性が低下せざるを得ない。
【０００８】
そこで、本発明は、前記従来の嵌合検出端子付き同軸コネクタの欠点を改良し、インピーダンスマッチングが良好で、しかも、高周波特性が低下しない嵌合検出端子付き同軸コネクタを提供しようとするものである。
【０００９】
【課題を解決するための手段】
本発明は、前記課題を解決するため、次の手段を採用する。
【００１０】
１．レセプタクルコネクタとプラグコネクタとの嵌合離脱を検出する嵌合検出機能を備える同軸コネクタにおいて、前記レセプタクルコネクタと前記プラグコネクタは、それぞれ中心コンタクトと、外部コンタクトと、前記中心コンタクト及び外部コンタクトを保持するインシュレータと、嵌合検出端子とを有し、前記嵌合検出端子は、前記外部コンタクトの周囲を被覆するように配設され、かつ、前記レセプタクルコネクタ又は前記プラグコネクタの一方の前記外部コンタクトと前記嵌合検出端子とは電気的に接続され、他方の前記外部コンタクトと前記嵌合検出端子とは電気的に非接続に構成され、更に、前記嵌合検出端子は、一対の突出部を有し、前記一対の突出部が基板を挟持することにより、前記レセプタクルコネクタを前記基板に固定し、かつ、電気的に接続する嵌合検出端子付き同軸コネクタ。
【００１１】
２．前記レセプタクルコネクタ又は前記プラグコネクタの一方の前記外部コンタクトと前記嵌合検出端子とは、一体形成される前記１記載の嵌合検出端子付き同軸コネクタ。
【００１２】
【発明の実施の形態】
本発明の一実施の形態例の嵌合検出端子付き同軸コネクタについて説明する。
【００１３】
まず、レセプタクルコネクタ１について図１と図３を参照して説明する。図１（ａ）は、水平方向断面図、図１（ｂ）は、垂直方向断面図、図１（ｃ）は、側面図である。図３は、レセプタクルコネクタ１とプラグコネクタ１１とが嵌合する前の状態を示す模式的斜視図である。
【００１４】
中心コンタクト２は、円筒状の第１のインシュレータ３に保持され、第１のインシュレータ３は、円筒状の第１のシェル（外部コンタクト）４により被覆される。中心コンタクト２が突出する第１のシェル４の一端側付近の外周面には、第２のインシュレータ５が固定され、第２のインシュレータ５の一端側付近の外周面と第１のシェル４の中程の外周面とにまたがって、略円筒状の第２のシェル（嵌合検出端子）６が固定される。第２のシェル６の一端側に数箇所のノッチ６Ａが切り込まれ、レセプタクルコネクタ１とプラグコネクタ１１とが嵌合するとき、第２のシェル６の一端側が弾性変形し易いように構成される。また、第２のシェル６の他端側の中央両側と下方両側には、それぞれ突出部６Ｂ，６Ｂ，６Ｃ，６Ｃが形成され、各突出部６Ｂ，６Ｂと各突出部６Ｃ，６Ｃとは、プリント基板２１を挟持する。
【００１５】
中心コンタクト２、第１のシェル４及び第２のシェル６の各一端折曲部２Ａ，４Ａ及び６Ｄは、それぞれプリント基板２１に接続される。
【００１６】
各部品の組立工程は、次の順序による。
【００１７】
１．第１のシェル４に第１のインシュレータ３を圧入する。
【００１８】
２．第１のインシュレータ３に中心コンタクト２を圧入する。
【００１９】
３．第２のシェル６を第２のインシュレータ５に圧入する。
【００２０】
４．第２のインシュレータ５を第１のシェル４に圧入する。
【００２１】
各部品の材料については、中心コンタクト２と第２のシェル６はリン青銅、第１のインシュレータ３と第２のインシュレータ５は４フッ化エチレン、第１のシェル４は黄銅である。中心コンタクト２、第１のシェル４及び第２のシェル６の仕上には、金めっきを施す。
【００２２】
次に、プラグコネクタ１１について図２と図３を参照して説明する。
【００２３】
中心コンタクト１２は、円筒状のインシュレータ１３に保持され、インシュレータ１３の小径部の外周面は、円筒状の第１のシェル（外部コンタクト）１４により被覆される。第１のシェル１４の一端側付近の外周面には、円筒状のスリーブ（嵌合検出端子）１５がはめられる。第１のシェル１４の他端側付近の外周面とインシュレータ１３の大径部とにまたがって、円筒状の第２のシェル１６が固定される。スリーブ１５の一端面と第２のシェル１６の一端面とは、第１のシェル１４の外周面の中央に形成されたフランジ１４Ａを挟んで対向する。第２のシェル１６の小径部は、円筒状のフェルール１７により被覆される。
【００２４】
第１のシェル１４とスリーブ１５とを一体形成するように設計変更することができる。また、第１のシェル１４とスリーブ１５と第２のシェル１６とを一体形成、または、第１のシェル１４と第２のシェル１６とを一体形成するようにしても良い。
【００２５】
各部品の組立工程は、次の順序による。
【００２６】
１．第２のシェル１６にインシュレータ１３を圧入する。
【００２７】
２．インシュレータ１３に中心コンタクト１２を圧入する。
【００２８】
３．インシュレータ１３と第２のシェル１６との間に、第１のシェル１４を圧入する。
【００２９】
４．第１のシェル１４にスリーブ１５を圧入する。
【００３０】
各部品の材料については、中心コンタクト１２、スリーブ１５及び第２のシェル１６は黄銅、第１のシェル１４はリン青銅、インシュレータ１３は４フッ化エチレン、フェルール１７はネーバル黄銅である。中心コンタクト１２、第１のシェル１４及びスリーブ１５の仕上げには、金めっきを施し、第２のシェル１６とフェルール１７の仕上げには、ニッケルめっきを施す。
【００３１】
レセプタクルコネクタ１とプラグコネクタ１１とが嵌合すると、中心コンタクト２と中心コンタクト１２とが接続するので、プリント基板２１と同軸ケーブル１８とが接続する。また、第２のシェル６の一端内側の数箇所に形成された凸部６Ｅがスリーブ１５の外周面と圧接し、更に、第１のシェル４の外周面がスリーブ１５の一端内側に形成された凸部１５Ａと接触する。したがって、プリント基板２１に設置されているリレー及び表示ランプ等（図示せず）の使用により、レセプタクルコネクタ１とプラグコネクタ１１とが嵌合したことが、検出される。
【００３２】
レセプタクルコネクタ１の第１のシェル４の凹部４Ｂとプラグコネクタ１１の第１のシェル１４の凸部１４Ｂとが係合し、コネクタ同士のロックの役目をする。また、第１のシェル４の外周面とスリーブ１５の凸部１５Ａの代わりに、この凹部４Ｂと凸部１４Ｂとが接触するようにしても良い。
【００３３】
【発明の効果】
以上の説明から明らかなように、本発明によれば、次の効果が奏される。
【００３４】
１．嵌合検出端子（第２のシェル）に分断部が存在しないので、インピーダンスマッチングが良好で、しかも、高周波特性が低下しない。
【００３５】
２．嵌合検出端子（第２のシェル）が外部コンタクト（第１のシェル）の外周上に配設されるため、シールド性能が向上する。
【００３６】
３．外部コンタクト（第１のシェル）の外側に嵌合検出端子（第２のシェル）が配設されるので、コネクタの同軸構造に影響を及ぼす支障が生じない。
【図面の簡単な説明】
【図１】本発明の一実施の形態例におけるレセプタクルコネクタの諸図であり、（ａ）は水平面断面図、（ｂ）は垂直面断面図、（ｃ）は側面図を、それぞれ示す。
【図２】本発明の一実施の形態例におけるプラグコネクタの断面図である。
【図３】本発明の一実施の形態例の嵌合端子付き同軸コネクタの嵌合前の状態を示す模式的斜視図である。
【図４】従来の嵌合端子付き同軸コネクタの嵌合前の状態を示す模式的斜視図である。
【符号の説明】
１    レセプタクルコネクタ
２    中心コンタクト
２Ａ    一端折曲部
３    第１のインシュレータ
４    第１のシェル（外部コンタクト）
４Ａ    一端折曲部
４Ｂ    凹部
５    第２のインシュレータ
６    第２のシェル（嵌合検出端子）
６Ａ    ノッチ
６Ｂ    突出部
６Ｃ    突出部
６Ｄ    一端折曲部
６Ｅ    凸部
１１    プラグコネクタ
１２    中心コンタクト
１３    インシュレータ
１４    第１のシェル（外部コンタクト）
１４Ａ    フランジ
１４Ｂ    凸部
１５    スリーブ（嵌合検出端子）
１５Ａ    凸部
１６    第２のシェル
１７    フェルール
１８    同軸ケーブル
２１    プリント基板
【図１】
0003564557.tif 000002
【図２】
0003564557.tif 000003
【図３】
0003564557.tif 000004
【図４】
0003564557.tif 000005